(57)【要約】【課題】刺激箇所を良好に刺激することができるとともに、刺激箇所の変更が容易で、また、例えば、デスクワークや自動車の運転をしながらでも使用が可能な健康器具を提供する。【解決手段】木製の２個の球体１０を、湾曲可能な連結部材によって連結する。球体１０には、十字状に貫通孔１０ａ，１０ｂを穿設する。貫通孔１０ａ，１０ｂの４箇所の入口近傍に、マイナスイオンを発生させるマイナスイオンボール１３とネオジム磁石１２とを配設して、これらを粘土性硬化物１４によって固める。ネオジム磁石１２によってフェライト磁石１１を磁気的に保持する。フェライト磁石１１は、表面が、球体１０の表面から出っ張らないようにして、人体に直接、当たることを防止する。【選択図】図３
2009142607.tif 000002
【特許請求の範囲】
【請求項１】
人体に押し当ててつぼを刺激する健康器具において、
表面に凹部を有し、人体のつぼに押し当てられる２個の球体と、
前記２個の球体が人体の背骨の両側に位置するつぼにそれぞれ対応するように球体を連結する湾曲可能な棒状の連結部材と、
前記凹部に埋設されて、磁力線，遠赤外線，マイナスイオンのいずれかにより人体に良好な作用をなす発生源と、を備えた、
ことを特徴とする健康器具。
【請求項２】
前記球体が木製である、
ことを特徴とする請求項１に記載の健康器具。
【請求項３】
前記発生源は、表面が前記球体の表面よりも内側に位置するように埋設されている、
ことを特徴とする請求項２に記載の健康器具。
【請求項４】
前記凹部が、前記球体の断面のうち、前記連結部材に直交する断面で、かつ前記球体の直径を含む断面上に形成される周方向に沿って複数形成され、
前記複数の凹部のそれぞれに前記発生源が配設されている、
ことを特徴とする請求項３に記載の健康器具。
【請求項５】
前記連結部材は、前記２個の球体を連結する、弾性を有する芯材と、
前記芯材における前記２つの球体の間に位置する部分に嵌められた複数の回転体とを有する、
ことを特徴とする請求項１ないし４のいずれか１項に記載の健康器具。
【請求項６】
前記複数の回転体のうちの少なくとも１個が前記発生源である、
ことを特徴とする請求項５に記載の健康器具。
【発明の詳細な説明】
【技術分野】
【０００１】
本発明は、磁力線，遠赤外線，マイナスイオンのいずれかを発生させる発生源を有する球体を、人体のつぼに押し当てて刺激する健康器具に関する。
【背景技術】
【０００２】
例えば、磁力線を発生させるチップを人体に貼り付けて、磁力線によって血流を良くしたりすることで健康を増進させる器具が知られている（例えば、特許文献１参照）。
【０００３】
また、人体のつぼを刺激する健康器具が種々、提案されているが、これらは、専用の保持具を使用して、人体の特定な部分に取り付けたり、あるいは手でもって使用者が患部に押し当てたりするものである。
【特許文献１】特開２００１−１１２８７５号公報
【発明の開示】
【発明が解決しようとする課題】
【０００４】
しかしながら、特許文献１のものは、チップを人体に貼り付けて使用するため、刺激箇所（貼り付け部分）を簡単に変更することができない。
【０００５】
一方、専用の保持具を使用するものも、被治具の取り付け直しが必要となるため、簡単には刺激箇所を変更することができず、また手で持って使用するものは、刺激箇所の変更は容易であるものの、仕事（例えば、デスクワーク）をしながらの使用は困難であった。
【０００６】
そこで、本発明は、刺激箇所を良好に刺激することができるとともに、刺激箇所の変更が容易で、また、例えば、デスクワークや自動車の運転をしながらでも使用が可能な健康器具を提供することを目的とするものである。
【課題を解決するための手段】
【０００７】
請求項１に係る発明は、人体に押し当ててつぼを刺激する健康器具に関する。この発明に係る健康器具は、表面に凹部を有し、人体のつぼに押し当てられる２個の球体と、前記２個の球体が人体の背骨の両側に位置するつぼにそれぞれ対応するように球体を連結する湾曲可能な棒状の連結部材と、前記凹部に埋設されて、磁力線，遠赤外線，マイナスイオンのいずれかにより人体に良好な作用をなす発生源と、を備えた、ことを特徴としている。
【０００８】
請求項２に係る発明は、請求項１に係る健康器具において、前記球体が木製である、ことを特徴としている。
【０００９】
請求項３に係る発明は、請求項２に係る健康器具において、前記発生源は、表面が前記球体の表面よりも内側に位置するように埋設されている、ことを特徴としている。
【００１０】
請求項４に係る発明は、請求項３に係る健康器具において、前記凹部が、前記球体の断面のうち、前記連結部材に直交する断面で、かつ前記球体の直径を含む断面上に形成される周方向に沿って複数形成され、前記複数の凹部のそれぞれに前記発生源が配設されている、ことを特徴としている。
【００１１】
請求項５に係る発明は、請求項１ないし４のいずれか１項に係る健康器具において、前記連結部材は、前記２個の球体を連結する、弾性を有する芯材と、前記芯材における前記２つの球体の間に位置する部分に嵌められた複数の回転体とを有する、ことを特徴としている。
【００１２】
請求項６に係る発明は、請求項５に係る健康器具において、前記複数の回転体のうちの少なくとも１個が前記発生源である、ことを特徴としている。
【発明の効果】
【００１３】
請求項１の発明によると、球体を人体のつぼに押しつけることにより、つぼを刺激することができる。また、球体の凹部に埋設された発生源により、磁力線、遠赤外線、マイナスイオンのいずれかを発生させて、人体に良好な作用をなすことができる。
【００１４】
請求項２の発明によると、球体が木製であるので、例えば、球体が金属製や硬質の合成樹脂製等の場合と比較して、球体を人体のつぼに押しつけた際に、柔らかく当接する。
【００１５】
請求項３の発明によると、球体よりも硬い発生源が直接人体に押圧されることがない。
【００１６】
請求項４の発明によると、発生源が人体に当接されやすい。
【００１７】
請求項５の発明によると、連結部材は、弾性を有する芯材に複数の回転体を嵌めることで、湾曲可能に構成されている。
【００１８】
請求項６の発明によると、連結部材の一部が発生源となるので、ここからも磁力線、遠赤外線、マイナスイオンのいずれかが発生する。
【発明を実施するための最良の形態】
【００１９】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２０】
図１〜図７を参照して、本発明に係る健康器具１について説明する。このうち図１は、健康器具１の全体を示す斜視図である。ただし、発生源としてのフェライト磁石１１は、取り外した状態を示している。図２は、２個の球体１０を連結部材２０で連結する方法を説明する図である。図３（ａ）は、図２のＡ−Ａ線矢視図であり、（ｂ）は、図２中の球体１０の断面図と同じ位置の断面図である。図４は、芯材２１の端部を説明する図である。図５は、人体Ｍの背中側のつぼを説明する図である。図６は、自動車の運転中における健康器具１の使用例を説明する図である。図７は、デスクワーク中における健康器具１の使用例を説明する図である。
【００２１】
図１〜図４に示すように、健康器具１は、２個の球体１０と、これらを連結する連結部材２０とを備えている。球体１０は、本実施形態では、木材によって形成されていて、例えば、檜の無垢材が使用されている。球体１０は、ほぼ球形に形成されていて、連結部材２０に直交する断面で、かつ球体１０の直径を含む断面上に形成される周方向に沿って、２つ（複数）の貫通孔１０ａ，１０ｂが形成されている。これら２つ貫通孔１０ａ，１０ｂは、それぞれの中心において相互に直交している。すなわち、これら貫通孔１０ａ，１０ｂは、図３（ａ）に示す状態においては、十字形を構成している。これら貫通孔１０ａ，１０ｂの４つの入口には、本実施形態では、磁力線を発生させる発生源としてのフェライト磁石（異方性フェライト永久磁石）１１が配置されている。フェライト磁石１１の表面は、球面状に形成されていて、この表面は、球体１０の表面よりも内側に位置するように配置されている。つまり、フェライト磁石１１の表面は、球体１０の表面よりも窪んだ位置に配置されていて、健康器具１で人体Ｍのつぼを刺激する際に、木製の球体１０よりも固いフェライト磁石１１が直接、人体Ｍに触れないようにしている。フェライト磁石１１の裏面は、平面状に形成されていて、円板状のネオジム磁石１２によって磁気的に保持されている。ネオジム磁石１２は、貫通孔１０ａ，１０ｂのほぼ充填された粘土性硬化物１４に埋め込まれた状態で保持されていて、表面側（フェライト磁石１１側）を露出させている。この露出された表面側に、フェライト磁石１１の裏面が磁力によってくっつけられている。つまり、フェライト磁石１１は、ネオジム磁石１２及び粘土性硬化物１４によって形成された凹部１０ｄ（図３（ａ）参照）に埋設されていることになる。粘土性硬化物１４におけるネオジム磁石１２のすぐ裏面側には、球状のマイナスイオンボール１３が粘土性硬化物１４に埋め込まれた状態で配設されている。マイナスイオンボール１３は、人体に好適なマイナスイオンを発生させるものである。図２に示すように、２個の球体１０における相互に対向する部分には、半球状の凹部１０ｅが形成され、また、これとは反対側には、円筒状の凹部１０ｃが形成されている。これら凹部１０ｅ，１０ｃは、次に説明する連結部材２０によって２個の球体１０を連結するためのものであり、これら凹部１０ｅ，１０ｃは、球体１０の中心を通る細い孔１０ｆによって連通されている。
【００２２】
連結部材２０は、弾性を有する芯材２１と、この芯材２１に嵌められた複数の回転体２２〜２５とを有している。ここで、回転体２２〜２５とは、平面図形を１つの軸を中心に回転させたときに形成される立体のことをいう。本実施形態では、例えば、球や、球を１つの直径方向に伸ばした形状がこれに相当する。芯材２１は、例えば、直径０．７ｍｍ程度のピアノ線を使用すると、丈夫で適度な弾性があるので好適である。図２に示すように、芯材２１は、２個の球体１０の間に位置する部分に複数の回転体２２〜２５が取り付けられ、端部側の部分が球体１０の中心の細い孔１０ｆを貫通し、端縁２１ａが凹部１０ｃに配置された抜け止め２１ａに貫通された後、３ｍｍ程度屈曲されている。回転体２２〜２５は、いずれも中心に芯材２１が貫通する細い孔（不図示）が穿設されている。回転体２２〜２５のうち、例えば、回転体２２，２３は、マグネットによって構成することで、磁力線を強めることができる。また、回転体２４，２５は、木製とし、外側の回転体２５の外半分を、球体１０の半球状の凹部１０ｅに押し当てるようにする。回転体２５を、球体１０を形成する檜の無垢材よりも硬い材質の木材で形成することにより、球体１０に芯材２１が食い込まないようにして、球体１０を保護している。また、２個の回転体２４のうちの一方を、２つ割に構成している。これにより、芯材２１に他の回転体２２，２３，２５等を所定の位置に配置した状態で、最後に２つ割の回転体２４で芯材２１を挟み込んで接着することで、連結部材２０を完成する。これにより、連結部材２０全体は、適度な弾性を有し、また、適度に湾曲することが可能となる。連結部材２０は、これを曲げようとする力が作用すると、隣接する回転体の間で、芯材２１が延びようとするので、これにより芯材２１に張力が発生して、弾性を発揮することになり、また、適度な湾曲が可能となる。
【００２３】
上述の健康器具１は、図５に示す人体Ｍの、例えば、背骨Ｂを基準として左右に振り分けられている、経絡上のつぼＴに対応するように、球体１０及び連結部材２０が構成されている。このため、図６に示すように、自動車を運転中に、人体ＭとシートＳの背もたれとの間に挟み込んで、運転をしながら人体Ｍのつぼを刺激するのに好適である。つぼＴを刺激することで、経絡を流れる気血の流れを安定化させることができる。また、首とヘッドレストＨとの間に挟み込んで、首を刺激することもできる。また、例えば、太腿の裏面側と、シートＳの座部との間に挟み込んで、太腿の裏面側を刺激することも可能である。さらに、図７に示すように、椅子に座ってのデスクワーク中に、人体Ｍと椅子Ｃの背もたれとの間に挟み込んで、デスクワークをしながら人体Ｍのつぼを刺激するのに好適である。また、例えば、太腿の裏面側と、椅子Ｃの座部との間に挟み込んで、太腿の裏面側を刺激することも可能である。また、図８に示すように、電車、バス、飛行機等による長時間の移動中に、人体ＭとシートＳとの間に健康器具１を挟み込むことで、つぼを刺激することができる。本発明に係る健康器具１は、２個の球体１０を連結部材２０によって連結して構成しているため、上述のように、人体Ｍの背中とシートＳ又は椅子Ｃとの間に挟み込んだ際に、球体１０の一部が、シートＳもしくは椅子Ｃ側、又は人体Ｍ側にめり込むので、人が多少、姿勢を変化させた場合であっても、ほぼそのままの位置を保持して、脱落しにくい。また、健康保持具１の位置を、積極的に代える場合には、従来例とはことなり、健康保持具１が人体Ｍに貼り付けられていたり、保持具によって保持されていたりしないので、姿勢を変えるだけで簡単に位置を移動させることができる。
【００２４】
以上の実施形態では、発生源としてのフェライト磁石１１が、球体１０の周方向を４等分する位置に配置されているので、球体１０が人体に押し当てられた際に、これら４個のフェライト磁石１１のうち、少なくとも１つは、人体Ｍに近接した位置に配置されるので、フェライト磁石から発生される磁力線の効果を有効に発揮させることができる。なお、以上では、フェライト磁石１１を、球体１０の周囲を４等分する位置のそれぞれに配置した例を説明したが、これに代えて、６等分や８等分する位置のそれぞれに配設するようにしてもよい。
【００２５】
また、以上の説明では、発生源として、フェライト磁石１１を選択した場合を例に説明したが、これに変えて、遠赤外線を発生させる鉱石や、マイナスイオンを発生させるものを使用することが可能である。また、発生源としてこれらを適宜に組み合わせて配設したり、連結部材２０の回転体２２〜２４にこれらを使用するようにしてもよい。
【００２６】
また、連結部材２０としては、上述の構成に代えて、適度な弾性を有する棒状の合成樹脂によって構成することも可能である。
【００２７】
また、球体１０として、木製のものを例に説明したが、これに代えて、例えば、軟質のゴム等によって形成することもできる。
【図面の簡単な説明】
【００２８】
【図１】健康器具の全体を示す斜視図である。
【図２】２個の球体を連結部材で連結する方法を説明する図である。
【図３】（ａ）は図２のＡ−Ａ線矢視図であり、（ｂ）は図２中の球体の断面図と同じ位置の断面図である。
【図４】芯材の端部を説明する図である。
【図５】人体の背中側のつぼを説明する図である。
【図６】自動車の運転中における健康器具の使用例を説明する図である。
【図７】デスクワーク中における健康器具の使用例を説明する図である。
【図８】電車、バス、飛行機等による長時間の移動中における健康器具の使用例を説明する図である。
【符号の説明】
【００２９】
１          健康器具
１０        球体
１０ｄ      凹部
１１        フェライト磁石（発生源）
２０        連結部材
２１        芯材
２２〜２５  回転体
Ｍ          人体
Ｔ          つぼ
【図１】
2009142607.tif 000003
【図２】
2009142607.tif 000004
【図３】
2009142607.tif 000005
【図４】
2009142607.tif 000006
【図５】
2009142607.tif 000007
【図６】
2009142607.tif 000008
【図７】
2009142607.tif 000009
【図８】
2009142607.tif 000010